(57)【要約】【課題】本発明は、詰替の際に注出口が折れ曲がったり閉塞したりすることがなく、能率的に詰替作業が実施できる包装容器を提供しようとするものである。【解決手段】基材フィルム層とシーラント層を有する積層フィルムを、シーラント層面を対向させて周縁部をシールしてなる袋の上部一隅に注出口を設けた包装容器であって、少なくとも注出口とその近傍のシーラント層表面に、高低差が１μｍ以上でありかつシーラント層の厚み以下である微細な凹凸を設け、注出口とその近傍に片側の高低差が１ｍｍ以上３ｍｍ以下のエンボスを設けたことを特徴とする包装容器。【選択図】図１
2010001042.tif 000002
【特許請求の範囲】
【請求項１】
基材フィルム層とシーラント層を有する積層フィルムを、シーラント層面を対向させて周縁部をシールしてなる袋の上部一隅に注出口を設けた包装容器であって、少なくとも注出口とその近傍のシーラント層表面に、高低差が１μｍ以上でありかつシーラント層の厚み以下である微細な凹凸を設け、注出口とその近傍に片側の高低差が１ｍｍ以上３ｍｍ以下のエンボスを設けたことを特徴とする包装容器。
【請求項２】
袋の内方より注出口に向かってシール部で挟まれた注出路を設けたことを特徴とする請求項１に記載の包装容器。
【請求項３】
前記注出路の中心線を挟むように注出路部に前記エンボスを設けたことを特徴とする請求項１または２に記載の包装容器。
【請求項４】
前記エンボスが袋の外から見て凹んで設けられていることを特徴とする請求項１〜３のいずれか１項に記載の包装容器。
【請求項５】
袋の下方にガセット部を設けることにより自立性を有するようにしたことを特徴とする請求項１〜４のいずれか１項に記載の包装容器。
【発明の詳細な説明】
【技術分野】
【０００１】
本発明は、詰替用の調味料や化粧品、洗剤類などの収納容器として利用される軟包装フィルムを用いた包装容器に関し、容器への詰替え作業を容易にした詰替用包装容器に関する。
【背景技術】
【０００２】
近年、環境への配慮から省資源を目的とした詰替用の収納容器が多く用いられている。詰替用の容器は、この本来の趣旨からして材料も構造もできるだけ簡単なものとすることが望ましいものであるが、使用する材料の厚さが薄くて腰が弱いものとなる結果、内容物を正規の容器に詰め替える際に、開封した詰替容器の注出口が内容物の表面張力によって付着して閉じてしまい、十分な開口面積が得られないために注出に長時間を要したり、注出口の部分が折れ曲がって、正規の容器の口から外れてしまい、内容物がこぼれてしまうといった問題が生じやすかった。
【０００３】
詰替容器における詰替作業時の問題点は、上記のように、注出口の開口が十分に開かないという問題と、注出口部分の腰が弱くて、曲がりやすいという２点にほぼ集約される。この詰替作業時における問題点を解決するために、従来さまざまな手段が講じられてきた。
【０００４】
一つの解決手段は、注出口に専用の注口部品を取り付けたり、注出口付近の材料の肉厚を厚くして、膨らみを設けたり（特許文献１）、注出口を中空円筒状に成形したり（特許文献２）する方法である。これらの方法は、確実に上記の問題点を解決するものであるが、材料コストや加工コストがかかるばかりでなく、空容器がかさばるため、空容器の運搬時や、充填工程における間接的なコストアップが避けられず、大量生産には不向きであった。
【０００５】
他の解決手段として、注出口用に特別な部品や材料を使用しないで、注出口の近傍あるいは、注出口近傍から本体部分にかけていろいろな形状の凹凸エンボスを設ける方法が提案されている。
【０００６】
特許文献３には、注出口通路に直径3ｍｍ程度、深さ0.5ｍｍ程度のくぼみを形成した容器が提案されている。また特許文献４には、直径2.5ｍｍのディンプル状の凹凸を設けた容器が提案されている。また特許文献５には、注出口部近傍にフラットな面の組合せによる膨らみ部を有する詰め替え用パウチが提案されている。また特許文献６には、容器を構成するシートに、注出口部から収納部におよぶ凸エンボスを設け、さらにこの凸エンボスの天面部に折り目を設けた液体包装容器が提案されている。
特許文献７、８に提案された袋も同様にして袋の注ぎ口形成部の近傍に凹状エンボス部あるいは、凸状エンボス部を設けたものである。
【０００７】
これらの包装袋に使用される材料は、一般的に内面が平滑であり腰も弱いものであるから、たとえ凹凸エンボスを施したとしても内容物の液体に濡れるとその表面張力によって表裏面が付着しやすいものであるから、内容物を注出する際に、内容物の圧力によって注出口部の根本付近が膨らむ結果、開口部が注出口の両端に引っ張られ、表裏のフィルムが疑似密着状態となって注出口先端まで膨らまず、しばしば開口部が閉塞し、内容物が注出されないという問題が生じていた。
【特許文献１】特開2001-48197号公報
【特許文献２】特開平8-2538号公報
【特許文献３】特開平11-1249号公報
【特許文献４】特開平11-59699号公報
【特許文献５】特開平11-349012号公報
【特許文献６】特開2002-154559号公報
【特許文献７】特開2005-187046号公報
【特許文献８】特開2005-187047号公報
【発明の開示】
【発明が解決しようとする課題】
【０００８】
本発明は、上記の従来の問題点を解決するためになされたものであり、詰替の際に注出口が折れ曲がったり閉塞したりすることがなく、能率的に詰替作業が実施できる包装容器を提供しようとするものである。
【課題を解決するための手段】
【０００９】
上記の課題を解決するための手段として、請求項１に記載の発明は、基材フィルム層とシーラント層を有する積層フィルムを、シーラント層面を対向させて周縁部をシールしてなる袋の上部一隅に注出口を設けた包装容器であって、少なくとも注出口とその近傍のシーラント層表面に、高低差が１μｍ以上でありかつシーラント層の厚み以下である微細な凹凸を設け、注出口とその近傍に片側の高低差が１ｍｍ以上３ｍｍ以下のエンボスを設けたことを特徴とする包装容器である。
【００１０】
また、請求項２に記載の発明は、袋の内方より注出口に向かってシール部で挟まれた注出路を設けたことを特徴とする請求項１に記載の包装容器である。
【００１１】
また、請求項３に記載の発明は、前記注出路の中心線を挟むように注出路部に前記エンボスを設けたことを特徴とする請求項１または２に記載の包装容器である。
【００１２】
また、請求項４に記載の発明は、前記エンボスが袋の外から見て凹んで設けられていることを特徴とする請求項１〜３のいずれか１項に記載の包装容器である。
【００１３】
また、請求項５に記載の発明は、袋の下方にガセット部を設けることにより自立性を有するようにしたことを特徴とする請求項１〜４のいずれか１項に記載の包装容器である。
【発明の効果】
【００１４】
本発明に係る包装容器は、特許請求範囲に記載の通り、基材フィルム層とシーラント層を有する積層フィルムを、シーラント層面を対向させて周縁部をシールしてなる袋の上部一隅に注出口を設けた包装容器であって、少なくとも注出口とその近傍のシーラント層表面に、高低差が１μｍ以上でありかつシーラント層の厚み以下である凹凸を設けたものであるから、少なくとも注出口とその近傍においては、対向するシーラント層の少なくとも１方の面には、高低差が１μｍ以上の微細な凹凸が設けられているため、従来の容器のように、シーラント層同志が内容物の液体の表面張力によって疑似密着状態となることがなく、注出が円滑に行われる。
【００１５】
また、注出口とその近傍に片側の高低差が１ｍｍ以上３ｍｍ以下のエンボスを設けたので、物理的に注出路が確保され、前述の微細な凹凸とあいまってこの注出路がシーラント層同志の疑似密着によって塞がれることもなく、安定して注出が行われる。
また、このエンボスは、注出口部分の剛性を高める効果を有するので、詰替時に注出口部の首が折れて注出口が正規の容器から外れたりする問題が生じにくい。
【００１６】
さらに袋の内方より注出口に向かってシール部で挟まれた注出路を設けた場合には、移
し替えようとする正規の容器の口に注出口部分を挿入することが可能となるので、詰替作業が安定し、安全かつ容易に詰替作業を行えるようになる。
【００１７】
また前記注出路の中心線を挟むように注出路部にエンボスを設けた場合には、両側のエンボスによって内容物の流路が物理的に形成されるので、注出が円滑に行われる。
【００１８】
またさらに、前記エンボスが袋の外から見て凹んで設けられている場合には、必然的に内側に向かって凸部を形成することになるので、内容物が通過する注出路が連通した空間として確保されるため、注出が円滑に行われる。
【００１９】
また袋の下方にガセット部を設けることにより自立性を有するようにした場合は、店頭における商品の陳列時や、使用時の利便性がさらに高まる。
【発明を実施するための最良の形態】
【００２０】
以下図面に従って、本発明に係る包装容器について詳細に説明する。
図１は、本発明に係る包装容器の一実施形態を示した平面説明図である。
本発明に係る包装容器は、基材フィルム層とシーラント層を有する積層フィルムのシーラント層面を対向させて周縁部をシールしてなる袋１の上部一隅に注出口１０を設けた包装容器である。
【００２１】
図１に示した実施形態においては、袋１の内方より注出口１０に向かってシール部２で挟まれた注出路１１が設けられており、注出路の中心線１２を挟むように注出路部にエンボス５が二つ設けられている。このエンボス５は、外側から見て凹部を形成している。また、袋１の下方には、底テープを折り込んだガセット部３が設けられているので、この包装容器はスタンディングパウチの形態を持った自立性を有する包装容器となっている。
また図には示されていないが、注出口とその近傍のシーラント層面には、図２に示されたような格子状の微細な凹凸が設けられている。
【００２２】
エンボス５の形状については、特に制約はないが、内容物が袋の中央部から注出口に向かって移動するのを妨げない形状であることが望ましく、注出口から袋の収納部分に向かって放射状に配置するのが好ましい。また大きな面積を有する単純な形状であると剛性が失われるので、図１に示したように適度に細かい不規則性をもった形状が好ましい。
エンボス５の深さについては、片側の高低差が１ｍｍ以上３ｍｍ以下であることが望ましい。
１ｍｍ以下であると、注出路を確保する効果が失われるし、３ｍｍ以上であると積層フィルムが引き伸ばされて部分的に薄くなりすぎるためかえって剛性が失われて好ましくない。
【００２３】
図１に示した実施形態においては、注出口１０の部分の開口予定線１３に平行するハーフカット線１４を設け、さらに開口予定線１３の上部には、シール部が延設されたつまみ部４を設けることにより開口操作における利便性を高めている。
ハーフカット線１４は、刃物によってカットしてもよいし、レーザーカットによっても容易に形成できる。ハーフカット線の本数は、２〜５本が好ましい。
さらに開封操作を容易にするために、開口予定線位置のシール部にノッチや切れ目を形成してもよい。
【００２４】
図３は、図１のＡ−Ａ’面を示した断面模式図である。２枚の積層フィルム７が、シーラント層面を対向させて向き合っており、シール部２によって両端をシールされ、注出口１０を形成している。図には示されていないが注出口１０の近傍には、エンボス５が存在し、また同様に図には示されていないが注出口１０部分には、積層フィルム７のシーラン
ト層面に微細な凹凸６が施されているため、注出口１０において２枚の積層フィルム７が密着することはない。
【００２５】
図４は、図１のＢ−Ｂ’面を示した断面模式図である。この実施形態においては、表裏の積層フィルム７のいずれにも外側から見て凹部となる表裏同一形状のエンボス５が形成されており、表裏合計四つのエンボス５の間に注出路１１が形成されている。
この実施形態のようにエンボス５が外側から見て凹部であり、さらに好ましくは図４のように注出路の中心線１２を挟むように配置された場合には、注出路１１は袋の内部空間から連通した空間として形成されるので、内容物の注出が円滑に行われる。
【００２６】
図４に示したように、この実施形態においては、表裏両面の積層フィルムにエンボス５が設けられているが、いずれか一方の積層フィルムのみにエンボスを設けても良い。
エンボス５を形成する方法としては、製袋機に付属したエンボス装置によって形成する方法を用いることができる。予め加熱した積層フィルム７に、冷却したエンボス型を押し当てて形成するか、あるいは、予熱していない積層フィルムにエンボス型を押し当てて形成する。
この時、後に詳しく述べる微細な凹凸６を同時に設けることもできる。
【００２７】
図２は、本発明に係る包装容器の他の実施形態におけるシーラント層面を示した平面説明図である。
本実施形態においては、この面の積層フィルムにはエンボスは設けられておらず、微細な凹凸６のみが設けられており、図には示されていないが、もう一方の積層フィルムにエンボスが設けられている。袋１の基本的な形状は図１の実施形態と同様であり、シール部２、ガセット部３、つまみ部４、注出路１１、注出口１０、開口予定線１３等の位置や形状も図１の実施形態と同様である。
【００２８】
図５は、図２のＣ−Ｃ’ 面における積層フィルムの断面拡大模式図である。基材フィルム層８とシーラント層９が積層されて積層フィルム７を形成しており、シーラント層９には、微細な凹凸６が設けられている。
微細な凹凸６は、本発明における最も重要な技術的要素であるので、以下詳細に説明する。
【００２９】
シーラント層９の材質としては、一般的に軟包装用のシーラント層として使用される熱可塑性樹脂を用いることができる。具体的には、低密度ポリエチレン、中密度ポリエチレン、直鎖状低密度ポリエチレン、エチレン・酢酸ビニル共重合体、エチレン・アクリル酸エステル共重合体、エチレン・αオレフィン共重合体などのエチレン系樹脂や、ポリプロピレン、プロピレン・エチレンランダム共重合体、プロピレン・エチレンブロック共重合体、プロピレン・αオレフィン共重合体などのポリプロピレン系樹脂の他、アイオノマー樹脂、ポリエステル系樹脂等が使用される。
【００３０】
シーラント層９の厚さとしては、20〜200μｍ程度が好ましい。またシーラント層９を形成する方法としては、フィルム状のシーラント層を基材フィルム層８に接着剤によって貼り合わせることによって設けてもよいし、押し出し機から溶融した樹脂を押し出して、基材フィルムに貼り合わせる方法で設けてもよい。押し出し機によって貼り合わせる場合にも、基材フィルムに接着剤を塗布して貼り合わせることができる。
【００３１】
このシーラント層９の表面に微細な凹凸６を設けるにあたり、微細な凹凸の高低差すなわち凹凸の深さについては、１μｍ以上であり、シーラント層の厚さ以下であることが好ましい。更に好ましくは、１０μｍ以上であることが好ましい。１μｍ以下では、この微細な凹凸の目的である表裏の積層フィルム７が内容物の液体によって疑似密着状態を生じ
ることを防止する効果を発揮することが困難であり、１０μｍ以上であれば更に流れ出し易い。シーラント層９の厚さ以上であると、積層フィルムの変形を招いたり、シール部２のシール性に悪影響を及ぼす危険性がある。
【００３２】
次に微細な凹凸６を形成する方法について説明する。微細な凹凸６をシーラント層９の全面に設ける場合には、シーラント層を形成する時点で表面に逆形状の凹凸を設けたエンボスロールによって押圧して形成する方法が最も能率的である。この方法は、シーラント層がフィルム状である場合でも、押し出し機から押し出して形成する場合でも適用できる。シーラント層がフィルム状で供給される場合には、溶融した樹脂をフィルムに成型する時点でエンボスロールに押し当てて凹凸を形成することができる。シーラントが押し出し機から押し出されて形成される場合には、押し出し機の冷却ロールをエンボスロールとすることによって、形成することができる。
【００３３】
微細な凹凸６を、図２に示したように部分的に設ける場合には、製袋機に付属したエンボス装置を用いて形成することができる。同じシーラント面に先に述べたエンボス５とこの微細な凹凸６を同時に設ける場合には、この両者を同時に設けたエンボス型を用意して、同時に形成することができるので、効率が良い。
微細な凹凸６を、図２に示したように、エンボス５とは別に設ける場合には、エンボス用の型とこの微細な凹凸用の型とを別々に用意する。
【００３４】
エンボス型を用いて、微細な凹凸６を設ける方法としては、先のエンボス５を設ける方法と同様であるが、凹凸形状が微細である場合には、積層フィルム７を予熱することにより、凹凸形状の転写が安定して行われるので、より好ましい。
【００３５】
微細な凹凸６の凹凸形状としては、特に制約はなく、図２に示した格子状や規則的なドット形状のような幾何学的な模様でも良いし、砂目のようなランダムな形状でも良い。
凹凸の面積比についても特に制約はない。
【００３６】
基材フィルム層８としては、一般的に軟包装材料に用いられるフィルムが使用可能であり、具体的には低密度ポリエチレン（ＬＤＰＥ）、高密度ポリエチレン（ＨＤＰＥ）、直鎖状低密度ポリエチレン（ＬＬＤＰＥ）、ポリプロピレン（ＰＰ）、ポリオレフィン系エラストマー等のポリオレフィン系樹脂、ポリエチレンテレフタレート（ＰＥＴ）、ポリエチレンナフタレート（ＰＥＮ）等のポリエステル系樹脂、セロハン、三酢酸セルロース（ＴＡＣ）等のセルロース系樹脂、ポリメチルメタアクリレート（ＰＭＭＡ）樹脂、エチレン−酢酸ビニル系共重合樹脂（ＥＶＡ）、アイオノマー樹脂、ポリブテン系樹脂、ポリアクリロニトリル系樹脂、ポリアミド系樹脂、ポリスチレン系樹脂（ＰＳ）、ポリ塩化ビニル系樹脂（ＰＶＣ）、ポリ塩化ビニリデン系樹脂（ＰＶＤＣ）、ポリカーボネート樹脂（ＰＣ）、フッ素系樹脂、ウレタン系樹脂等の合成樹脂フィルムが使用できる。
またこれらのフィルムにアルミニウム等の金属や、酸化アルミニウム等の金属酸化物を蒸着したフィルムを使用しても良い。
【００３７】
積層フィルムの強度や腰の強さ、バリア性能等を向上させるために基材フィルム層８とシーラント層９との間に、中間層を設けることもできる。
中間層としては、基材フィルム層に用いられる上記の材料の他、アルミニウム箔、紙、金属蒸着フィルム、金属酸化物蒸着フィルム等を用いることができる。
以下実施例に基づき、本発明に係る包装容器の実施形態についてさらに具体的に説明する。
【実施例】
【００３８】
基材フィルム層として厚さ12μｍのＰＥＴフィルムを、中間層として厚さ15μｍのナイ
ロンフィルムを、シーラント層として厚さ100μｍのＬＬＤＰＥフィルムをそれぞれ使用し、これらの各層をウレタン系接着剤を用いて貼り合わせて積層フィルムを作成した。この積層フィルムを表裏および底テープとして用いてシーラント層を対向させ、周縁部をシールすることにより、図１に示したような形状のスタンディングパウチを作成した。
【００３９】
周縁部のシールに先立ち、表裏の積層フィルムに図１に示したような深さ1.2ｍｍの凹状エンボスを設け、シーラント層表面には、図２に示したような線の間隔1ｍｍの格子状の微細な凹凸を設けた。微細な凹凸の高低差は20μｍとした。微細な凹凸とエンボスとは、一つの押し型により、同時に設けた。
＜比較例＞
【００４０】
微細な凹凸を設けなかった事以外は、実施例と同様の構成材料を用いて、同様の形状のスタンディングパウチを作成した。
【００４１】
実施例のパウチと比較例のパウチそれぞれ１０個づつに市販のコンディショナーを400ｇ充填した後、注出口を開封して正規の容器に詰め替える作業をそれぞれ１０回づつ実施した。開封した際の注出口の開口寸法と詰め替え作業時の液こぼれの発生の回数、詰め替えに要した時間を評価した。開口寸法については、図６における注出口の巾方向の寸法であるａ寸法（ｍｍ）と厚さ方向の寸法であるｂ寸法（ｍｍ）のそれぞれ平均値を示した。
【００４２】
【表１】
2010001042.tif 000003
【００４３】
表１に示されたように、比較例に対して、実施例では注出口の厚さ方向の開口が広くなり、そのため注出口の折れ曲がりによる液こぼれも発生せず、詰め替えに要した時間も短いことが分かる。
【図面の簡単な説明】
【００４４】
【図１】本発明に係る包装容器の一実施形態を示した平面説明図。
【図２】本発明に係る包装容器の他の実施形態におけるシーラント層面を示した平面説明図。
【図３】図１のＡ−Ａ’面を示した断面模式図。
【図４】図１のＢ−Ｂ’面を示した断面模式図。
【図５】図２のＣ−Ｃ’面における積層フィルムの断面拡大模式図。
【図６】図１の包装容器に内容物を充填し、Ａ−Ａ’面を開封した状態を示した説明図。
【符号の説明】
【００４５】
１・・・袋
２・・・シール部
３・・・ガセット部
４・・・つまみ部
５・・・エンボス
６・・・微細な凹凸
７・・・積層フィルム
８・・・基材フィルム層
９・・・シーラント層
１０・・・注出口
１１・・・注出路
１２・・・注出路の中心線
１３・・・開口予定線
１４・・・ハーフカット線
ａ・・・開口部の巾方向の寸法
ｂ・・・開口部の厚さ方向の寸法
【図１】
2010001042.tif 000004
【図２】
2010001042.tif 000005
【図３】
2010001042.tif 000006
【図４】
2010001042.tif 000007
【図５】
2010001042.tif 000008
【図６】
2010001042.tif 000009